(57)【要約】【課題】  遮光マスクによって非表示領域を確実かつ正確に遮光することができる投射型表示装置を提供する。【解決手段】  本発明の投射型表示装置１００は、光源１２０と、前記光源の光を変調して画像を形成する光変調装置１５１，１５２，１５３と、前記光変調装置によって変調された画像を投射する投射装置１６１，１６２，１６３と、光経路上に配置され、不要光を遮光する遮光マスク１３４と、前記画像の非表示領域と前記遮光マスクの遮光範囲とのずれを検出するずれ検出手段としてのセンシング素子２１２と、前記センシング素子の検出信号に基づいて前記遮光マスクの遮光範囲を修正するマスク位置決め手段、例えば制御信号を出力する制御手段２１４と、前記制御信号に応じて前記遮光マスクを位置決めする駆動手段２１６と、を具備することを特徴とする。【選択図】          図６
2006091057.tif 000002
【特許請求の範囲】
【請求項１】
光源と、
前記光源の光を変調して画像を形成する光変調装置と、
前記光変調装置によって変調された画像を投射する投射装置と、
光経路上に配置され、不要光を遮光する遮光マスクと、
前記画像の非表示領域と前記遮光マスクの遮光範囲とのずれ量を検出するずれ量検出手段と、
当該ずれ量検出手段の検出信号に基づいて、前記遮光マスクの遮光範囲を調整する遮光マスク位置決め手段と
を具備することを特徴とする投射型表示装置。
【請求項２】
前記ずれ検出手段の出力する検出信号に基づいて、前記ずれ量を表示する手段を具備することを特徴とする請求項１に記載の投射型表示装置。
【請求項３】
前記遮光マスクの位置決め手段は、前記ずれ量検出手段の検出信号に基づいて、前記遮光マスクの遮光範囲を修正する制御信号を出力する制御手段と、当該制御信号に応じて前記遮光マスクの位置を変化させる駆動手段により構成されていることを特徴とする請求項１または２に記載の投射型表示装置。
【請求項４】
前記遮光マスクの位置決め手段は、手動で修正可能な手段により構成されていることを特徴とする請求項１乃至３のいずれか一項に記載の投射型表示装置。
【請求項５】
前記ずれ量の検出手段は、前記遮光マスクの受光部に光反射面が設けられ、前記光反射面に反射した光を検出するセンシング素子により構成される手段であることを特徴とする請求項１乃至４のいずれか一項に記載の投射型表示装置。
【請求項６】
前記ずれ量の検出手段は、前記遮光マスクの受光部での光を検出するセンシング素子により構成される手段であることを特徴とする請求項１乃至４のいずれか一項に記載の投射型表示装置。
【請求項７】
前記遮光マスクの位置決め手段は、前記ずれ量検出手段の検出信号に基づいて位置決めをする前に、前記光変調装置に供給される画像信号若しくは駆動信号に基づいて前記制御信号を出力するように構成されていることを特徴とする請求項１乃至６のいずれか一項に記載の投射型表示装置。
【請求項８】
前記光変調装置の駆動領域のうち前記非表示領域に対応する部分の駆動を停止させる駆動部分停止手段をさらに具備することを特徴とする請求項１乃至７のいずれか一項に記載の投射型表示装置。
【請求項９】
前記遮光マスクの受光側に受光エネルギーを電力に変換する変換素子が設けられていることを特徴とする請求項１乃至８のいずれか一項に記載の投射型表示装置。
【発明の詳細な説明】
【技術分野】
【０００１】
本発明は投射型表示装置に関し、特に、不要光を遮光する遮光マスクを備えた投射型表示装置に関するものである。
【背景技術】
【０００２】
従来から、三原色の有色光（Ｒｅｄ：赤、Ｇｒｅｅｎ：緑、Ｂｌｕｅ：青）をそれぞれ液晶パネルによって変調してから、その変調した３つの有色光をダイクロイックプリズム（ｄｉｃｈｒｏｉｃ  ｐｒｉｚｍ）によって合成して画像を形成し、この画像を外部のスクリーンに拡大投写する投射型表示装置が知られている。
【０００３】
この投射型表示装置では、光源からの光を液晶ライトバルブなどの光変調装置で変調することによって所定の画像を形成し、これを投射装置によってスクリーン上に拡大投影するように構成されている。ここで、投射型表示装置の光投射範囲（光変調装置の光変調範囲）全体を用いて画像を表示する場合もあるが、上記光投射範囲内において、画像を表示する表示領域の他に、画像データが含まれない非表示領域が存在する場合がある。この非表示領域は、例えば、上記光投射範囲が矩形である場合でも、当該光投射範囲とアスペクト比が異なる画像（例えば映画など）を表示させたとき、表示領域の周囲、例えば、上下位置或いは左右位置にそれぞれ表示される黒色の帯状領域のことである。
【０００４】
ところで、投射型表示装置では、装置から離れた位置にあるスクリーンに画像を投射するため、画像を表示する表示画面を備えた液晶表示装置の如き表示装置に比べて、出射光の輝度が大きい光源が使用されている。このため、上記の非表示領域でも完全に光が遮光されずに多少の光漏れが存在することから、画像枠がくっきりと表示されず、画像の明瞭性や質感を阻害するという問題点がある。
【０００５】
上記の問題点を解決するために、上記の非表示領域において遮光マスクを用いて確実に遮光するようにした投射型表示装置が考案されている（例えば、特許文献１参照）。この装置では、画像を拡大投写するレンズ群内の結像面近傍に、不要光を遮光する遮光マスクが配設されており、手動又は画像信号によって遮光マスクを移動させることにより、遮光範囲を変化させることができるように構成されている。
【特許文献１】特開平５−１５７９８４号公報
【発明の開示】
【発明が解決しようとする課題】
【０００６】
しかしながら、特許文献１に記載された投射型表示装置では、その遮光マスクを単に手動によって遮光領域を調整するように構成されていることにより、遮光領域の微調整が困難であり、さらに光投射範囲内における非表示領域の位置や大きさなどが表示途中で変化すると、その都度調整し直さなければならないので、煩わしさに堪えないという問題がある。また、遮光マスクを画像信号に基づいた調整も可能ではあるが、遮光マスクと光変調装置との位置関係が僅かでもずれていると、遮光マスクの遮光範囲と非表示領域とを正確に一致させることができず、遮光範囲と非表示領域とを一致させるためには遮光マスクと光変調装置との間の煩雑な位置調整が必要になるという問題がある。
【０００７】
そこで本発明は上記問題点を解決するものであり、その課題は、遮光マスクによって非表示領域を確実かつ正確に遮光することのできる投射型表示装置を提供することにある。
【課題を解決するための手段】
【０００８】
本発明の投射型表示装置は、まず光源と、前記光源の光を変調して画像を形成する光変調装置と、前記光変調装置によって変調された画像を投射する投射装置と、光経路上に配置され、不要光を遮光する遮光マスクと、前記画像の非表示領域と前記遮光マスクの遮光範囲とのずれを検出するずれ量検出手段と、前記遮光マスクの遮光範囲を調整する遮光マスク位置決め手段と、を具備することを特徴とする。
【０００９】
この発明によれば、光変調装置によって構成された画像が表示されていない非表示領域と遮光マスクの遮光範囲との実際のずれがずれ量検出手段によって検出され、この検出信号に基づいた遮光マスク位置決め手段によって遮光マスクの遮光範囲が修正されることにより、実際の画像の表示領域と非表示領域の位置に応じた遮光マスクの遮光範囲を修正できるので、遮光マスクの遮光範囲を非表示領域に対して高い精度で設定することが可能になるとともに、画像の表示領域が時間的に変化してもこれに対応して遮光位置を調整することが可能になる。したがって、従来よりも高精度で確実な遮光を行うことができ、しかも、遮光マスクの位置調整のための煩雑な作業を不要にすることができる。
【００１０】
ここで、前記ずれ量検出手段は、結果として画像の非表示領域と遮光マスクの遮光範囲とのずれを検出できるものであればよいので、遮光範囲内に進入した画像の表示領域の位置や大きさなどを検出するものであってもよく、或いは、画像の表示領域と非表示領域の境界位置を検出するものであってもよい。
【００１１】
すなわち、前記ずれ量検出手段は、何らかの形で光を検出するセンシング素子で構成されているものが好ましく、例えば、フォトダイオード（Ｐｈｏｔｏｄｉｏｄｅ）、フォトトランジスター（Ｐｈｏｔｏｔｒａｎｓｉｓｔｏｒ）、ＣＣＤ（Ｃｈａｒｇｅ  Ｃｏｕｐｌｅｄ  Ｄｅｖｉｃｅ：電荷転送デバイス）又は光電セル（Ｐｈｏｔｏ  Ｃｅｌｌ）などの如き光電素子を用いることができる。さらに、上記のように光そのものを直接検出できるものに限らず、光が当ることによって発生する熱を検出する熱電素子などのように、間接的に光を検出できるものであってもよい。また、画像の非表示領域と遮光マスクの遮光範囲とのずれを検出するとは、当該ずれの有無、ずれの方向、ずれの量のいずれを検出するものであっても構わない。
【００１２】
また、遮光マスクの遮光範囲の修正方法としては、手動で遮光マスクを移動させる場合、ずれ量検出手段から得た検出信号を制御手段で制御信号化し、駆動手段によって自動的に遮光マスクを移動させる場合、その両方などが挙げられる。
【００１３】
本発明において、前記ずれ検出手段の出力する検出信号に基づいた、前記ずれ量を表示する手段をさらに具備することが好ましい、この前記ずれ量を表示する手段を確認することにより、上記手動で遮光マスクを移動させる場合の作業を簡易にすることができる。
【００１４】
また、遮光マスクの遮光範囲を修正する態様としては、遮光範囲の位置を変える場合、すなわち、遮光マスク自体を移動させる場合、或いは、遮光マスクの遮光形状を変える場合、例えば複数のマスク部をそれぞれ移動可能に構成し、各マスク部を移動させる場合などが挙げられる。
【００１５】
本発明において、前記遮光マスクの受光側に光反射面が設けられており、前記ずれ量検出手段としての前記センシング素子は、前記光反射面に反射した光を検出するように構成されていることが好ましい。この発明によれば、遮光マスクの受光側に光反射面が設けられており、センシング素子は、光反射面に反射した光を検出するように構成されていることにより、センシング素子によって遮光マスクの遮光範囲内にて反射された光を検出し、この検出光の均一性や強度などを見ることができ、画像の非表示領域と遮光マスクの遮光範囲の位置ずれを検出することができる。
【００１６】
ここで、前記光反射面は、前記遮光マスクの受光側の表面の全部に形成されていてもよく、或いは、開口縁を含む一部にのみ形成されていてもよい。また、光反射面は、遮光マスクと一体に設けられていてもよく、遮光マスクと一体化された部材に設けられていてもよく、或いは、遮光マスクとは別体で離反して設けられていてもよい。
【００１７】
本発明において、前記センシング素子は前記遮光マスクの受光側に設けられていることが好ましい。この発明によれば、前記センシング素子は前記遮光マスクの受光側に設けられていることにより、前記センシング素子が光を直接検出するので、光反射面の反射光を検出する場合に比べて、前記センシング素子の検出誤差を低減でき、前記遮光マスクの位置決め制度を向上させることができる。また、簡易な構成とすることができるので、投射型表示装置の小型化を図ることができる。
【００１８】
ここで、前記センシング素子は、前記遮光マスクの全面に亘って多数設けられていてもよく、前記遮光マスクの開口縁に沿って一列に設けられていてもよく、その開口縁の一部（例えば四隅）にのみ設けられていてもよい。また、光センサは検出精度を高める上で遮光マスクに固定されていることが好ましいが、遮光マスクの受光側に離反して配置されていてもよい。
【００１９】
本発明において、前記ずれ量検出手段の検出信号に基づいて位置決めをする前に、前記光変調装置に供給される画像信号若しくは駆動信号に基づいた前記制御信号を出力するように構成されていることが好ましい。この発明によれば、制御手段により、最初に、光変調装置に供給される画像信号や駆動信号に応じて画像の非表示領域の位置を設定し、これに合わせて遮光マスクの遮光範囲を制御することにより、遮光マスクの遮光範囲を非表示領域に概略一致させることができ、その後、ずれ量検出手段の検出信号に基づいて遮光範囲を微調整することによって、正確に遮光範囲を位置決めできる。このようにすると、遮光範囲と非表示領域とのずれが大きい場合でも迅速に遮光範囲を調整できるとともに、ずれ量検出手段の検出信号に基づくずれの調整範囲を小さくすることができるので、ずれ量検出手段の小型化や簡易化を図ることができる。
【００２０】
本発明において、前記光変調装置の駆動領域のうち前記非表示領域に対応する部分の駆動を停止させる駆動部分停止手段をさらに具備することが好ましい。この発明によれば、駆動部分停止手段により、前記遮光マスクによって遮蔽される非表示領域に対応する部分の駆動が停止されるので、無駄な駆動エネルギーの消費を防止することにより、装置の消費電力の低減を図ることができる。
【００２１】
本発明において、前記遮光マスクの受光側に受光エネルギーを電力に変換する変換素子が設けられていることが好ましい。これによれば、遮光マスクによって遮光される光のエネルギーを変換素子によって回収することが可能になる。この変換素子は、例えば、装置内の電源回路や電池などに接続されることが望ましい。これによって、回収した電力をさらに装置にて使用できる。さらに、上記の変換素子として、上記ずれ量検出手段を構成する光電素子や熱電素子を兼用することも可能である。
【００２２】
ここで、光電素子とは受光すると起電力が発生する素子をいい、例えばフォトトランジスターやフォトダイオードなどである。この光電素子は上述のずれ量検出手段を兼ねていてもよい。また、熱電素子とは熱を検出すると起電力が発生する素子をいい、例えば熱電対などである。また、前記遮光マスクを前記光変調装置より下流側に配置する場合には、前記光変調装置は、ノーマリーホワイト型であることが望ましい。これにより、前記光変調装置を透過する光の輝度の減少を低減でき前記光電素子又は前記熱電素子での発電を効率良く行う事ができる。ここで、ノーマリーホワイト型とは、電圧無印加時に光源の光を通過させて画面を白色にし、電圧印加時に光源の光を遮光させて画面を黒色にするタイプのものをいう。
【発明を実施するための最良の形態】
【００２３】
次に、添付図面を参照して本発明に係る投射型表示装置の実施形態について詳細に説明する。まず、後述する各実施形態の共通事項について説明する。
【００２４】
［投射型表示装置の構成］
図１は、本発明に係る各実施形態の投射型表示装置を模式的に示す概略構成図である。図１に示すように、各実施形態の投射型表示装置１００は、Ｒ（Ｒｅｄ：赤）、Ｇ（Ｇｒｅｅｎ：緑）、Ｂ（ｂｌｕｅ：青）の異なる色光毎に透過型液晶ライトバルブを備えたものであり、光源１２０と、色分離合成系１４０と、投射光学系１６０とから構成されている。
【００２５】
光源１２０は、高圧水銀ランプ或いはメタルハライドランプ等のランプ１２１と、ランプ１２１の光を反射するリフレクタ１２２と、ランプ１２１の光の照度分布を均一化させる２枚のフライアイレンズ１２３、１２４と、光の偏光方向を一方向に揃える偏光変換装置１２６を有する。
【００２６】
ここで、２枚のフライアイレンズ１２３、１２４は、それぞれ６×８個の如き複数のレンズ１２３ａ、１２４ａから構成され、ランプ１２１の光Ｌが２枚のフライアイレンズ１２３、１２４を順次透過することによって、光Ｌの照度分布を均一化させるようになっている。
【００２７】
偏光変換装置１２６は、２枚のフライアイレンズ側に設けられた図示しない偏光ビームスプリッタアレイ（ＰＢＳアレイ）と、ＰＢＳアレイによって反射された偏光の偏光方向を変換する図示しない１／２波長板アレイとから構成され、ランプ１２１の光Ｌはその輝度を損なうことなく光の偏光方向を一方向に揃えるようになっている。
【００２８】
また、色分離合成系１４０は、ダイクロイックミラー１４１、１４２と、反射ミラー１４３、１４４、１４５と、リレーレンズ１４６、１４７、１４８と、液晶ライトバルブ１５１、１５２、１５３と、クロスダイクロイックプリズム１５５を有する。
【００２９】
ダイクロイックミラー１４１、１４２は、例えばガラス表面に誘電体多層膜を積層したもので、所定の有色光を選択的に反射し、それ以外の波長の光を透過するようになっている。具体的には、ダイクロイックミラー１４１は、光源１２０の光Ｌのうち、赤色光ＬＲを透過させるとともに、青色光ＬＢ及び緑色光ＬＧを反射するようになっている。また、ダイクロイックミラー１４２はダイクロイックミラー１４１で反射された青色光ＬＢ及び緑色光ＬＧのうち、青色光ＬＢを透過させるとともに、緑色光ＬＧを反射するようになっている。
【００３０】
これにより、光源１２０から入射した光のうち、赤色光ＬＲはダイクロイックミラー１４１を透過した後、反射ミラー１４５で反射され、赤色光用の液晶ライトバルブ１５１に入射される。緑色光ＬＧはダイクロイックミラー１４１に反射されて緑色光用の液晶ライトバルブ１５２に入射される。青色光ＬＢはダイクロイックミラー１４２を透過した後、リレーレンズ１４６、反射ミラー１４３、リレーレンズ１４７、反射ミラー１４４、リレーレンズ１４８からなるリレー系１４０ａを経て、青色光用の液晶ライトバルブ１５３に入射されるようになっている。
【００３１】
液晶ライトバルブ１５１、１５２、１５３は、例えばアクティブマトリクス型の透過型液晶ライトバルブとして構成されており、信号処理された画像信号に基づいて駆動回路により駆動されるようになっている。そして、各液晶ライトバルブ１５１、１５２、１５３によって変調された有色光は、クロスダイクロイックプリズム１５５に入射されるようになっている。
【００３２】
クロスダイクロイックプリズム１５５は、図示しない直角プリズムが貼り合わされた構造となっており、その内面に赤色光ＬＲを反射するミラー面と青色光ＬＢを反射するミラー面とが十字状に形成されている。したがって、クロスダイクロイックプリズム１５５は３つの色光ＬＲ、ＬＧ、ＬＢをこれらのミラー面によって合成して、カラー画像を表示する合成光を形成するようになっている。
【００３３】
また、投射光学系１６０は投射レンズ１６１、１６２、１６３とスクリーン１６５とを有する。投射レンズ１６１、１６２、１６３はクロスダイクロイックプリズム１５５によって形成された合成光をスクリーン１６５の上に拡大投射するようになっている。これによって、スクリーン１６５にカラー画像が表示される。
【００３４】
［遮光マスク］
次に、添付図面を参照して本発明に係る投射型表示装置に用いられる遮光マスク及びその配置の例について添付図面を参照して説明する。図２は、投射型表示装置を斜め前方から見た状態を模式的に示す概略斜視図（ａ）と、投射型表示装置の出射口に取り付ける遮光マスクの概略平面図（ｂ）（ｃ）及び（ｄ）である。
【００３５】
図２（ａ）に示すように、投射型表示装置１００の本体１１０には、その正面に光が出射される出射口１１０ａと、本体１１０の内部に冷却空気を取り入れる取り入れ口１１０ｂが形成されている。この出射口１１０ａは略円形に形成されており、その中に略円形の投射レンズ１６１、１６２、１６３が配置されている。これによって、投射レンズ１６３を透過した光は出射口１１０ａから本体１１０の外側に出射されるようになっている。
【００３６】
また、図２（ｂ）から（ｄ）までに示すように、投射型表示装置１００は遮光マスク１３１（１３２、１３３）を有する。遮光マスク１３１（１３２、１３３）は、光を透過しない素材からなるものであり、例えば、金属、黒色などの如き暗い色に着色されたガラス又は合成樹脂などで構成される。また、遮光マスク１３１（１３２、１３３）は投射型表示装置１００における本体１１０の出射口１１０ａに着脱自在に構成されているとともに、この投射口１１０ａを被覆可能な大きさを備えている。具体的には、遮光マスク１３１（１３２、１３３）は出射口１１０ａの外形と同様な略円形に形成されている。
【００３７】
また、遮光マスク１３１（１３２、１３３）には、開口１３１ａ（１３２ａ、１３３ａ）が形成されている。この開口１３１ａ（１３２ａ、１３３ａ）は画像の表示領域に対応する大きさ及び形状に形成されている。これにより、遮光マスク１３１（１３２、１３３）の開口１３１ａ（１３２ａ、１３３ａ）を画像の表示領域に合致させると、遮光マスク１３１（１３２、１３３）によって、画像の非表示領域が遮蔽されるので、非表示領域における光漏れを防止できる。
【００３８】
例えば、図２（ａ）に示す遮光マスク１３１には、アスペクト比（縦横比）が９：１６の長方形の開口１３１ａが形成されている。これにより、映画を表示させた場合において、この映画の画像の上下位置にある非表示領域を遮光できる。また、図２（ｃ）に示す遮光マスク１３２には、略円形の開口１３２ａが形成されている。これにより、アナログ時計を表示させた場合において、このアナログ時計の画像の周囲にある非表示領域を遮光できる。さらに、図２（ｄ）に示す遮光マスク１３３には、所定幅で略水平に伸びる開口１３３ａが形成されている。これにより、文字放送の文字列やディジタル時計等を表示させた場合において、この文字列の画像の上下位置にある非表示領域を遮光できる。
【００３９】
次に、図３を参照して、遮光マスクの別の形態を示す。遮光マスク２３１には、上記遮光マスク１３１、１３２、１３３と同様に開口２３１ａが形成されているとともに、その外縁から突出する取手２３１ｂが設けられている。また、遮光マスク２３１は出射口１１０ａに回転自在な状態で取り付け可能に構成されている。このことにより、遮光マスク２３１を出射口１１０ａに取り付けた状態において、取手２３１ｂを矢印Ａ方向に回転させると、遮光マスク２３１の開口２３１ａの姿勢が変化するので、遮光マスク２３１によって画像の非表示領域を完全に遮蔽するように調整できる。なお、遮光マスク２３１は遮光マスク１３１に取手２３１ｂを設けたものであるが、遮光マスク１３２、１３３に取手２３１ｂを設けたものであってもよく、またこの場合、投射型表示装置の表示部に遮光マスク位置の合致、非合致を、位置調節者に知らせる為の信号を表示させることが好ましい。
【００４０】
次に、図４を参照して、遮光マスクの別の形態を示す。図４は、投射型表示装置の内部構成を示すブロック図（ａ）と、投射型表示装置の内部に配置する遮光マスクの概略平面図（ｂ）（ｃ）及び（ｄ）である。遮光マスク１３４（１３５、１３６）は、上述の遮光マスク１３１（１３２、１３３）と基本的に同様に構成されている。すなわち、遮光マスク１３４（１３５、１３６）は、遮光マスク１３１（１３２、１３３）と同様に、光を透過しない素材からなり、投射型表示装置１００の本体１１０の内部にある光通路ＬＰを遮蔽可能に構成されている。例えば、光通路ＬＰの断面形状が長方形である場合には、図４（ｂ）から（ｄ）に示すように、遮光マスク１３４（１３５、１３６）の外形は長方形に形成されている。
【００４１】
また、遮光マスク１３４（１３５、１３６）は、上述の遮光マスク１３１（１３２、１３３）と同様に、開口１３４ａ（１３５ａ、１３６ａ）がそれぞれ形成されている。例えば、図４（ｂ）に示す遮光マスク１３４には、アスペクト比（縦横比）が９：１６の長方形の開口１３４ａが形成されている。図４（ｃ）に示す遮光マスク１３５には、上端部に所定幅で略水平に伸びる開口１３５ａが形成されている。また、図４（ｄ）に示す遮光マスク１３６には、右側の約１／３に長方形の開口１３６ａが形成されている。これによって、天気予報の如きデータ放送等を光投射範囲の一部（表示領域）に表示させることができる。
【００４２】
また、これら遮光マスク１３４、１３５、１３６は、光通路ＬＰのいずれの位置に配置されていてもよい。例えば、光源１２０と液晶ライトバルブ１５１（１５２、１５３）の間、液晶ライトバルブ１５１（１５２、１５３）と投射レンズ１６１（１６２、１６３）の間、又は、投射レンズ１６３とスクリーン１６５の間のいずれに配置されていてもよい。
【００４３】
また、遮光マスク１３４、１３５、１３６は、上述の遮光マスク２３１と同様に、それぞれ取手が設けられていてもよい。この場合には、この取手は本体１１０の外側に突出していることが好ましい。これにより、手動で遮光マスクの位置を調整することができる。
【００４４】
さらに、図５を参照して、遮光マスクの別の形態を示す。図５は遮光マスクの概略平面図である。上述の遮光マスク１３１、１３２、１３３、１３４、１３５、１３６、２３１はそれぞれ一定の形状を有するが、遮光マスク３３０は、その開口の形状及び大きさが変更可能に構成されている。なお、上述の遮光マスク１３１、１３２、１３３、１３４、１３５、１３６、２３１と同様に構成可能な部分、例えば構成素材などについては説明を省略する。
【００４５】
具体的には，遮光マスク３３０は、４つのマスク部３３１、３３２、３３３、３３４を備えている。これらマスク部３３１、３３２、３３３、３３４は、上述の遮光マスクと同様に光を透過しない素材からなり、その平面形状が四角形にそれぞれ形成されている。また、４つのマスク部３３１、３３２、３３３、３３４は周回状に配置され、その中心部分に開口３３０ａが設けられている。この開口３３０ａの周縁はマスク部３３１、３３２、３３３、３３４のそれぞれの内側端縁３３１ａ、３３２ａ、３３３ａ、３３４ａとなっている。
【００４６】
また、マスク部３３１とマスク部３３３は、開口３３０ａを挟んで上下位置に配置され、それぞれ上下方向（矢印Ｐ方向）に移動可能に構成されている。一方、マスク３３２、３３４は、開口３３０ａを挟んで左右位置に配置され、それぞれ左右方向（矢印Ｑ方向）に移動可能に構成されている。また、これらマスク部はそれぞれ個別に移動可能に構成されている。これらマスク部の移動は手動でもよいし、制御機構によって自動的に行ってもよい。これによって、遮光マスク３３０はその開口３３０ａの形状又は大きさを任意に変更することができる。
【００４７】
なお、この遮光マスク３３０は、光源１２０からスクリーン１６５までの光通路中のどの位置に配置されていてもよい。また、マスク部３３１、３３２、３３３、３３４の形状は長方形に限られるものではなく、それぞれ三角形、五角形、六角形、半円形、円形、楕円形など各種の形状に形成されていてもよい。特に、開口側の内側端縁が真っ直ぐになっているのではなく、屈曲又は湾曲していてもよい。
【００４８】
また、遮光マスク３３０は４つのマスク部３３１、３３２、３３３、３３４から構成されているが、遮光マスクにおける開口の位置や大きさなどを変更可能であれば良いことにより、遮光マスクを構成するマスク部の数は、４つに限定されることなく、２つ以上であればいくつでも良い。さらに、遮光マスク２３１と同様に、マスク部３３１、３３２、３３３、３３４には取手が設けられていてもよい。
【００４９】
[第１実施形態]
次に、図６を参照して、本発明に係る第１実施形態の投射型表示装置について詳細に説明する。図６は、本発明に係る第１実施形態の投射型表示装置における遮光マスクを制御する構成を模式的に示すブロック図である。投射型表示装置１００には、遮光マスク１３４、光反射部材２３２、センシング素子２１２、位置制御回路２１４及び駆動手段２１６を有する。
【００５０】
光反射部材２３２は光を光反射可能なもの、例えば鏡であり、遮光マスク１３４の受光側に設けられている。光反射部材２３２は遮光マスク１３４と同一の形状を備えており、遮光マスク１３４の開口１３４ａに対応する部分において、光路上において開口１３４ａと同一範囲の開口を備えている。また、光反射部材２３２は、その光反射面が光軸と直交する面に対してやや傾斜した姿勢で配置されている。これによって、光束の一部を反射させて光路外へ取り出すことが可能となっている。また、光反射部材２３２は、光変調手段を構成する液晶ライトバルブ１５１（１５２、１５３）と投射装置を構成する投射レンズ１６１（１６２、１６３）の間に配置されている。
【００５１】
ただし、光反射部材２３２は、光変調手段（液晶ライトバルブ）の出射側に配置されていればよいので、上記のように光変調手段と投射装置の間に配置されている場合に限られず、例えば、投射装置（投射レンズ群）の内部若しくはその出射側に配置されていてもよい。
【００５２】
また、本発明の実施形態としては、単一の光変調手段（液晶ライトバルブ）のみを備えたものであってもよく、また、図１に示すように複数の光変調手段（液晶ライトバルブ）で光変調を行った後に複数の変調光を合成するようにしたものであってもよい。後者の場合においては、以下に説明する遮光マスクやセンシング素子は、光変調手段毎に設けられていてもよいが、複数の変調光を合成した画像の出射側に一組だけ配置されていることが好ましい。なお、これらの点は以下に説明する他の実施形態でも同様である。
【００５３】
センシング素子２１２は、その表面上に光の照度を検出する図示しない多数の光電素子が格子状に多数配列されたものである。また、センシング素子２１２は、光反射部材２３２によって反射した反射光ＲＬを受光可能な位置に配置されている。また、センシング素子２１２は、その検出信号を位置制御回路２１４に出力するように構成されている。
【００５４】
ここで、液晶ライトバルブ１５１から出射される画像の表示領域に対して遮光マスク１３４の開口部１３４ａが合致している場合には、センシング素子２１２は上記画像の非表示領域に対応する範囲の光のみを検出し、上記表示領域に対して遮光マスク１３４の開口部１３４ａがずれている場合には、そのずれに対応して表示領域の光が光反射部材２３２により反射され、センシング素子２１２にて検出されるように構成されている。したがって、センシング素子２１２の全ての光電素子が非表示領域の光のみを検出し、その結果、センシング素子２１２の検出範囲全体に亘りほぼ均一な照度を検出する（或いは、検出光量が所定値より小さい）と、遮光マスク１３４の位置は適正であると判断される。
【００５５】
一方、いずれかの光電素子が他の光電素子に比べて不均一な照度を検出する（或いは、検出光量が所定値より高い）と、センシング素子２１２の光電素子が表示領域の光を検出しているものと解されるため、遮光マスク１３４の位置は適正でないと判断される。
【００５６】
また、位置制御回路２１４は、センシング素子２１２と駆動手段２１６にそれぞれ電気的に接続されている。センシング素子２１２の検出信号が入力されると、この検出信号から遮光マスク１３４の位置が適正か適正でないかを判断し、遮光マスク１３４の位置が適正でないと判断すると、駆動手段２１６に駆動信号を出力するように構成されている。また、駆動手段２１６は、位置制御回路２１４から駆動信号が入力されると、この駆動信号に基づいて遮光マスク１３４を移動させる。
【００５７】
次に、上述した遮光マスク１３４の位置を修正する制御方法について説明する。最初に、図７に示すように、センシング素子２１２の検出信号が位置制御回路２１４に入力されると（Ｓ１）、その検出信号の全てがほぼ均一であるか否かを判別する（Ｓ２）。検出信号の全てがほぼ均一であるときは、遮光マスクは適正な位置にあると判断して、処理を終了させる。一方、検出信号にばらつきがあるときは、遮光マスクは適正な位置にないと判断し、他に比べて不均一な検出信号の光電素子の位置及び数量を判別する（Ｓ３）。次に、（Ｓ３）において判別した位置と数量から遮光マスクを移動させるべき移動方向及び移動距離を算出して、位置制御回路２１４から駆動手段２１６に制御信号を出力する（Ｓ４）。そして、この制御信号に応じて、駆動手段２１６が遮光マスク２３２を上記移動方向に上記移動距離だけ移動させ、遮光マスク２３２のずれを修正する（Ｓ５）。そして、上記Ｓ１からＳ５までの手順（ステップ）をセンシング素子２１２の光電素子の検出信号が均一になるまで繰り返す。
【００５８】
この第１実施形態においては、遮光マスク１３４に照射される光を光反射部材２３２によって分離してセンシング素子２１２にて検出し、このセンシング素子２１２の検出信号に基づいて遮光マスク１３４の位置を修正するので、画像信号によって遮光マスクを駆動させる場合に比べて、遮光マスク１３４を正確に修正でき、非表示領域を確実に遮光することができる。また、センシング素子２１２は光を常時検出しているので、画像の表示途中において、表示領域の大きさや位置が変化したとしても、その変化に対応して遮光マスク１３４の位置を修正できるため、非表示領域の遮光を確実に行うことができる。
【００５９】
なお、この投射型表示装置１００においては、光反射部材２３２と遮光マスク１３４は別体で構成されていてもよく、光反射部材２３２と遮光マスク１３４が一体化されていてもよい。また、光反射部材２３２を設ける代わりに、遮光マスク１３４の受光側の表面を光反射面となるように形成してもよい。この場合、反射光を光軸と分離して取り出すために、遮光マスク１３４の厚さを変えて楔状の断面形状を構成することにより、光反射面を光軸と直交する面に対して傾斜させてもよく、或いは、遮光マスク１３４自体を光軸と直交する面に対して傾斜させてもよい。
【００６０】
また、後述する第３実施形態と同様に、予め光変調手段である液晶ライトバルブへ送られる画像信号若しくは駆動信号に基づいて遮光マスク１３４の概略の位置及び姿勢を制御した後に、上記の制御方法によって遮光マスク１３４を実際の画像の表示領域に合わせて調整するようにしても構わない。
【００６１】
また、第１の実施形態においては、駆動手段による位置修正の他に、センシングした結果であるマスク位置の合致、非合致の情報を投射型表示装置の表示部（ＬＥＤもしくはディスプレイ）に表示し、表示された情報を確認しながら手動で遮光マスク位置を修正しても構わない。
【００６２】
[第２実施形態]
次に、図８及び図９（ａ）を参照して、本発明に係る第２実施形態の投射型表示装置について説明する。図８は、本発明に係る第２実施形態の投射型表示装置における遮光マスクを制御する機構の構成を模式的に示すブロック図である。図９（ａ）はセンシング素子２１３を遮光マスク１３４に取り付けた状態を模式的に示す概略平面図である。この投射型表示装置２００は、遮光マスク１３４、センシング素子２１３、位置制御回路２１４及び駆動手段２１６を有する。
【００６３】
第１実施形態の投射型表示装置１００では、光反射部材２３２によって光を反射させ、この反射光ＲＬをセンシング素子２１２で検出しているが、この第２実施形態の投射型表示装置２００では、センシング素子２１３を遮光マスク１３４の背面側に配置し、液晶ライトバルブ１５１から出射する光を直接センシング素子２１３にて検出している。なお、遮光マスク１３４、位置制御回路２１４及び駆動手段２１６は上記第１実施形態と同様であり、同一部分については同一符号を付し、その説明は省略する。
【００６４】
図９（ａ）に示すように、センシング素子２１３は、センシング素子２１２と同様に多数の光電素子２３５を格子状に配列してなるものであり、遮光マスク１３４の受光側の面に設けられている。また、遮光マスク１３４の開口１３４ａには光電素子２３５は配列されていない。このため、遮光マスク１３４の開口１３４ａは光を通過可能に構成されている。また、遮光マスク１３４の位置を修正する方法は、上述の場合と同様である。
【００６５】
また、この場合において、図９（ｂ）及び（ｃ）に示すように、センシング素子２１３の代わりに、センシング素子２１４又はセンシング素子２１５を用いてもよい。センシング素子２１４は、多数の光電素子２３５を水平方向に一列に配設したものであり、遮光マスク１３４の開口１３４ａに沿って設けられている。一方、センシング素子２１５は、四角形に構成された開口１３４ａの頂点に隣接する遮光マスク１３４の開口縁の隅部に対応する位置に４つの光電素子２３５をそれぞれ配設したものである。これらのようにすると、センシング素子２１４、２１５ではセンシング素子２１３に比べて光電素子２３５の数が低減でき、低コスト化を図ることも可能である。なお、図９（ｂ）及び（ｃ）に示す光電素子の配列構成は、上記第１実施形態のセンシング素子２１２にも適用できる。
【００６６】
この第２実施形態によれば、遮光マスク１３４の受光側の面上にセンシング素子２１３が配置されていることにより、液晶ライトバルブ１５１から出射された光をセンシング素子２１３が直接検出できるので、反射光を検出する場合に比べて、検出誤差が低減できるとともに、投射型表示装置の構造を簡素化でき、また、装置の小型化が可能になる。
【００６７】
[第３実施形態]
次に、図１０を参照して、本発明に係る第３実施形態の投射型表示装置について説明する。図１０は、本発明に係る第３実施形態の投射型表示装置における遮光マスクを制御する構成を模式的に示すブロック図である。この投射型表示装置３００は、遮光マスク３３０、センシング素子２１３、位置制御回路２１４、駆動手段２１６及び画像表示駆動部２４２を有する。なお、第２実施形態と同一部分については同一符号を付し、その説明を省略する。
【００６８】
センシング素子２１３は、第２実施形態の投射型表示装置２００のセンシング素子２１３と同一のものであり、遮光マスク３３０の各マスク部３３１、３３２、３３３、３３４の受光側にそれぞれ取り付けられている。また、画像表示駆動部２４２は液晶ライトバルブ１５１（１５２、１５３）を駆動させる画像信号を出力するものである。位置制御回路３１４は、センシング素子２１３によって検出した検出信号と、画像表示駆動部３４２からの画像信号とを受けて、駆動手段３１６を制御するように構成されている。また、駆動手段３１６は、遮光マスク３３０のマスク部３３１、３３２、３３３、３３４をそれぞれ個別に駆動可能に構成されている。なお、位置制御回路３１４を、上記画像信号の代わりに、液晶ライトバルブに対する駆動信号を用いて制御を行うように構成してもよい。この駆動信号は、上記画素信号に対応する信号であり、実際に液晶ライトバルブを駆動する信号であるので、画像信号を用いる場合と同様に駆動信号を用いて表示領域の範囲を特定することが可能である。
【００６９】
次に、上述した遮光マスク３３０の位置を修正する制御方法について説明する。図１１に示すように、まず、画像表示駆動部３４２の出力する画像信号を位置制御回路３１４に入力する（Ｓ１）。次に、この画像信号に基づいて駆動手段３１６によって遮光マスク３３０のマスク部３３１、３３２、３３３、３３４をそれぞれ移動させる（Ｓ２）。その後、センシング素子３１３の検出信号を位置制御回路３１４に入力し（Ｓ３）、この位置制御回路３１４において検出信号の全てがほぼ均一であるか否かを判別する（Ｓ４）。ここで、均一である場合には各マスク部が適正位置にあると判断して処理は終了する。一方、均一でない場合には、表示領域の光を検出した位置を判別する（Ｓ５）。そして、位置制御回路３１４は表示領域の光の検出位置に応じた制御信号を駆動手段３１６に出力して（Ｓ６）、駆動手段３１６によってマスク部を移動させる（Ｓ７）。そして、センシング素子２１３の全ての光電素子の検出信号が均一になるまで上記Ｓ３から上記Ｓ７までのステップを繰り返す。
【００７０】
この第３実施形態においては、それぞれ移動可能な４つのマスク部３３１、３３２、３３３、３３４からなる遮光マスク３３０が用いられていることにより、位置や大きさが異なる種々の非表示領域に対応させることができるので、一定の開口形状を備えた遮光マスクに比べて、汎用性を向上させることができる。
【００７１】
第３実施形態においては、遮光マスク３３０の位置決めは、まず、画像信号に基づいてマスク部３３１、３３２、３３３、３３４を移動させて、その後、センシング素子２１３の検出信号に基づいてマスク部を微調整させることにより行うので、センシング素子２１３の検出信号だけで遮光マスク３３０の位置決めする場合に比べて、遮光マスク３３０の位置決め処理を迅速に行うことができる。
【００７２】
なお、本実施形態において、遮光マスク３３０の位置決めは、画像信号に基づいてマスク部３３１、３３２、３３３、３３４を移動させた後に、センシング素子２１３の検出信号に基づいてマスク部を微調整させることにより行うが、センシング素子２１３の検出信号だけで位置決めを行っても構わない。
【００７３】
また、遮光マスク３３０は、そのマスク部３３１、３３２、３３３、３３４の液晶ライトバルブ側にセンシング素子２１３を取り付けてあるが、第１実施形態と同様に、マスク部の受光側に光反射部材２３２を設けて、この光反射部材２３２からの反射光を検出するようにセンシング素子２１３を配置してもよい。
【００７４】
[第４実施形態]
次に、図１２を参照して、本発明に係る第４実施形態の投射型表示装置について説明する。図１２は、第４実施形態の投射型表示装置に用いられる液晶ライトバルブの構成を示すブロック図である。この投射型表示装置は、上記第１実施形態乃至第３実施形態とほぼ同様に構成することができるので、図１２には液晶ライトバルブ４５１（４５２，４５３）及びその制御系のみを図示し、その他の構成については省略する。
【００７５】
図１２に示すように、液晶ライトバルブ４５１（４５２，４５３）は、液晶パネル４６１、走査線駆動回路４６２及び信号線駆動回路４６４を含み、駆動電圧形成回路４６５、コントローラ４６６及び電源４６８に接続されている。この液晶ライトバルブ４５１は、制御系によって部分表示可能に構成されている点に特徴を有し、画像を形成するために必要な表示領域内の画素のみを駆動し、不要な非表示領域内の画素を駆動しないように構成されている。
【００７６】
液晶パネル４６１は、能動素子としてＴＦＴ（Ｔｈｉｎ  Ｆｉｌｍ  Ｔｒａｎｓｉｓｔｏｒ：薄膜トランジスタ）を画素毎に有するマトリクス型パネルであって、液晶層を介して素子基板と対向基板が対向配置された構造を有し、その平面方向にマトリックス状に配列された多数の図示しない画素を有し、これらの画素が配列された駆動領域Ｄを備えている。この駆動領域Ｄには、走査線駆動回路４６２から走査信号のパルスが順次印加され、この走査信号のパルスに合わせて信号線駆動回路４６４からデータ信号が供給されることにより、走査信号によってオン状態とされたＴＦＴを介して画素電極に信号電位が与えられるため、画素毎に所定の電界が付与された状態となり、これにより画素内の液晶分子の配向や秩序を制御することで、画素毎に光の変調態様が制御される。
【００７７】
また、駆動電圧形成回路４６５は液晶の駆動に必要な複数の電圧レベルを形成するものであり、この電圧レベルは信号線駆動回路４６４と走査線駆動回路４６２を経由して液晶パネル４６１に印加される。コントローラ４６６は、信号線駆動回路４６４、走査線駆動回路４６２及び駆動電圧形成回路４６５にそれぞれ必要な信号を供給するものである。ここで、必要な信号とは、部分表示制御信号ＰＤ、フレーム開始信号ＦＲＭ、データ転送用クロックＣＬＸ、表示データＤａｔａ、データラッチ信号ＬＰなどである。なお、データラッチ信号ＬＰは走査信号転送用クロック及び駆動電圧形成回路用クロックを兼ねている。また、電源４６８は以上の回路の電力供給源である。
【００７８】
本実施形態では、上述の液晶ライトバルブ４５１（４５２、４５３）の駆動領域Ｄの一部の駆動を停止し、駆動停止領域Ｕ１、Ｕ２を形成する。この駆動停止領域Ｕ１，Ｕ２は、画素を表示しない非表示領域に一致するように形成される。駆動停止領域Ｕ１，Ｕ２を形成するには、例えば、コントローラ４６６から、非表示領域の範囲に対応する部分表示制御信号ＰＤを走査線駆動回路４６２に入力して、複数の走査線のうちの非表示領域に対応する一部の走査線に対して走査線駆動回路４６２からの走査信号の供給を停止させればよい。これによって、走査信号のパルスが印加されない走査線上に配列された画素には走査信号のパルスが印加されることがないので、この画素領域の液晶は駆動されない。
【００７９】
この第４実施形態においては、コントローラ４６６及び走査線駆動回路４６２で構成される駆動部分停止手段により、液晶ライトバルブ４５１（４５２、４５３）の液晶パネル４６１において、非表示領域に対応する駆動停止領域Ｕ１、Ｕ２を設けることで、遮光マスクによって光が遮蔽される非表示領域を無駄に駆動する必要がなくなるので、投射型表示装置４００の低消費電力化を図ることができる。
【００８０】
なお、液晶パネル４６１がノーマリーブラックタイプのパネルである場合、上記駆動停止領域Ｕ１，Ｕ２は光遮断状態（実際には僅かな光漏れが存在する状態）となるが、液晶パネル４６１がノーマリーホワイトタイプのパネルである場合、上記駆動停止領域Ｕ１，Ｕ２は光透過状態となる。いずれの場合でも、遮光マスクによって駆動停止領域Ｕ１，Ｕ２から出射される光は遮蔽される。ここで、上記第１実施形態乃至第３実施形態の場合、液晶ライトバルブから出射された画像の表示領域と非表示領域とをセンシング素子によって判別する必要があるが、ノーマリーホワイトタイプのパネルを使用した際には、非表示領域の検出光量がセンシング素子の感度に対し大きくなり過ぎる場合がある。この場合、表示領域と非表示領域の判別を検出光量の大小のみで行うのは困難となり得るので、検出光量の均一性も判断指標として用いる事が好ましい。
【００８１】
また、本実施形態では一部の走査線の駆動のみを停止しているが、所定の走査期間において信号線の出力電位をも停止させることで、任意の非表示領域に対応する任意の領域を上記駆動停止領域とすることが可能である。
【００８２】
［第５実施形態］
次に、図１３を参照して、本発明に係る第５実施形態の投射型表示装置について説明する。図１３は、第５実施形態の投射型表示装置における光発電の構成を示すブロック図である。図示しない投射型表示装置５００は、光源１２０、液晶ライトバルブ１５１（１５２、１５３）、光電素子５１２、電源回路５１４及び駆動部５１６を有する。なお、第１実施形態から第４実施形態までに記載の投射型表示装置と同一部分については同一符号を付し、その説明は省略する。
【００８３】
光源１２０は第１実施形態の光源１２０と同一のものである。また、液晶ライトバルブ４５１（４５２、４５３）は第４実施形態の液晶ライトバルブ４５１（４５２、４５３）と同一のものであり、表示画面の非表示領域に対応する駆動領域の部分を停止できるように構成されている。この場合において、第５実施形態の液晶ライトバルブ４５１（４５２、４５３）はノーマリーホワイトタイプであることが望ましい。これによって、液晶ライトバルブ４５１（４５２、４５３）における表示画面の非表示領域を透過する光の強度の低下を抑制できるため、後述する回収電力を増大させることができる。
【００８４】
光電素子５１２は、受光すると起電力が生じる光起電力効果を有する素子であり、例えば、フォトダイオードやフォトトランジスターなどである。この光電素子５１２は、遮光マスク１３４の受光側に設けられている。
【００８５】
また、電源回路５１４は光電素子５１２と駆動部５１６にそれぞれ電気的に接続されており、光電素子５１２から電力供給を受けて電力を蓄積するとともに、作動部５１６に電力を供給するように構成されている。また、作動部５１６は、投射型表示装置５００における各種の作動部分の総称であり、このような作動部分としては、例えば、光源１２０、液晶ライトバルブ４５１（４５２、４５３）、図示しない冷却用ファンなどが挙げられる。
【００８６】
上述の投射型表示装置５００においては、光源１２０の光が液晶ライトバルブ４５１を通して出射されるが、液晶ライトバルブ４５１の画像の非表示領域を光が透過すると、当該光は光電素子５１２に照射されるので、光電素子５１２に光起電力が生じ、この光起電力に基づく電力が電源回路５１４に供給される。このようにして光電素子５１２で発生した電力は電源回路５１４を介して作動部５１６に供給される。
【００８７】
この第５実施形態においては、液晶ライトバルブ４５１（４５２、４５３）における非表示領域の光によって電力を発生させ、この電力を装置を稼働させるエネルギーの少なくとも一部として用いることができる。すなわち、画像の表示に不要な光のエネルギーを回収することにより、装置の省電力化を図ることができる。
【００８８】
なお、第５実施形態の投射型表示装置５００における光電素子５１２は、第２実施形態又は第３実施形態のセンシング素子２１２、２１３に使用されている光電素子２３５などを兼ねていてもよい。また、第５実施形態の投射型表示装置５００においては、光電素子５１２の代わりに、光の照射熱によって起電力が発生する熱電素子を用いてもよい。また、光電素子５１２と熱電素子の両方を用いてもよい。この熱電素子は、上記センシング素子の光電素子の代わりとして用いることもできる。さらに、第５実施形態の投射型表示装置５００では、光電素子５１２が電源回路５１４に電気的に接続されているが、投射型表示装置が電池を備えている場合には、電源回路５１４の代わりに、電池に光電素子を電気的に接続してもよい。
【００８９】
尚、本発明の投射型表示装置は、上述の図示例にのみ限定されるものではなく、本発明の要旨を逸脱しない範囲内において種々変更を加え得ることは勿論である。
【図面の簡単な説明】
【００９０】
【図１】本発明に係る各実施形態の投射型表示装置を模式的に示す概略構成図。
【図２】本発明に係る各実施形態の投射型表示装置の本体を斜め前方から見た状態を模式的に示す概略斜視図（ａ）と、本体の出射口に取り付ける遮光マスクの概略平面図（ｂ）（ｃ）及び（ｄ）。
【図３】別の形態の遮光マスクを出射口に取り付けた投射型表示装置を斜め前方から見た状態を模式的に示す概略斜視図。
【図４】投射型表示装置の本体の内部構成を示すブロック図（ａ）と、別の形態の遮光マスクを示す概略平面図（ｂ）（ｃ）及び（ｄ）。
【図５】別の形態の遮光マスクを示す概略平面図。
【図６】本発明に係る第１実施形態の投射型表示装置における遮光マスクを制御する構成を模式的に示すブロック図。
【図７】第１実施形態の遮光マスクを修正する制御方法を示すフローチャート。
【図８】第２実施形態の投射型表示装置における遮光マスクを制御する機構の構成を模式的に示すブロック図。
【図９】第２実施形態のセンシング素子を遮光マスクに取り付けた状態を模式的に示す概略平面図（ａ）と、別の形態のセンシング素子（ｂ）及び（ｃ）。
【図１０】第３実施形態の投射型表示装置における遮光マスクを制御する構成を模式的に示すブロック図。
【図１１】第３実施形態の遮光マスクを修正する制御方法を示すフローチャート。
【図１２】第４実施形態の投射型表示装置に用いられる液晶ライトバルブの構成を示すブロック図。
【図１３】第５実施形態の投射型表示装置における光発電の構成を示すブロック図。
【符号の説明】
【００９１】
１００、２００、３００、４００、５００…投射型表示装置、１１０…本体、１１０ａ…出射口、１１０ｂ…取り入れ口、１２０…光源、１２１…ランプ、１２２…リフレクタ、１２３、１２４…フライアイレンズ、１２３ａ、１２４ａ…レンズ、１２６…偏光変換装置、１３１、１３２、１３３、１３４、１３５、１３６、２３１、３３０…遮光マスク、１３１ａ、１３２ａ、１３３ａ、１３４ａ、１３５ａ、１３６ａ、２３１ａ、３３０ａ…開口、１４０…色分離合成系、１４０ａ…リレー系、１４１、１４２…ダイクロイックミラー、１４３、１４４、１４５…反射ミラー、１４６、１４７、１４８…リレーレンズ、１５１、１５２、１５３、４５１、４５２、４５３…液晶ライトバルブ、１５５…クロスダイクロイックプリズム、１６０…投射光学系、１６１、１６２、１６３…投射レンズ、１６５…スクリーン、２３１ｂ…取手、２１２、２１３、２１４、２１５…センシング素子、２１４…位置制御回路、２１６…駆動手段、２３２…光反射部材、２３５、５１２…光電素子、２４２…画像表示駆動部、３３１、３３２、３３３、３３４…マスク部、４６１…液晶表示パネル、４６２…走査線駆動回路、４６４…信号線駆動回路、４６５…駆動電圧形成回路、４６６…コントローラ、４６８…電源、５１４…電源回路、５１６…駆動部、Ｌ…光、ＬＲ…赤色光、ＬＢ…青色光、ＬＧ…緑色光、ＬＰ…光通路、ＰＤ…部分表示制御信号、ＦＲＭ…フレーム開始信号、ＣＬＸ…データ転送用クロック、Ｄａｔａ…表示データ、ＬＰ…データラッチ信号、Ｄ…駆動領域、Ｕ１、Ｕ２…駆動停止領域
【図１】
2006091057.tif 000003
【図２】
2006091057.tif 000004
【図３】
2006091057.tif 000005
【図４】
2006091057.tif 000006
【図５】
2006091057.tif 000007
【図６】
2006091057.tif 000008
【図７】
2006091057.tif 000009
【図８】
2006091057.tif 000010
【図９】
2006091057.tif 000011
【図１０】
2006091057.tif 000012
【図１１】
2006091057.tif 000013
【図１２】
2006091057.tif 000014
【図１３】
2006091057.tif 000015